(57)【要約】【課題】キャビネットの内部の一部の領域（例えば、半域）のみを覆う棚板支持板を提供する。【解決手段】第一棚板支持板(100)は、キャビネットの後壁に沿って延びる第一部分(110)と、キャビネットの前後方向に延びる第二部分(120)と、からなり、第一部分は、後壁の横方向に延びる横方向部分(111)と、後壁の上下方向に延びる上下方向部分(112)と、からなる。第二棚板支持板は第二部分の先端に関して第一棚板支持板と鏡面対称の構造を有する。第一棚板支持板は、上下方向部分の裏面側において、後壁の横方向における両端に取り付けられ、第二棚板支持板は、上下方向部分の裏面側において、第一棚板支持板と対向するように、キャビネットの前壁の裏面に取り付けられる。これら二つの棚板支持板の上に棚板を載せる。【選択図】図２
0003157788.tif 000002
【実用新案登録請求の範囲】
【請求項１】
対向する一対の側壁と、前記側壁を相互に連結する後壁と、前記側壁の前端から所定の長さだけ前記後壁と平行に延びる一対の前壁と、からなり、前記一対の前壁の間の領域は開口している構造体の内部に取り付けられる棚板を支持する棚板支持板であって、
前記棚板支持板は、第一棚板支持板と、第二棚板支持板と、からなり、
前記第一棚板支持板は、前記後壁の横方向に延びる横方向部分と、前記後壁の上下方向に延びる上下方向部分と、からなり、
前記第二棚板支持板は、前記横方向部分の表面に関して、前記第一棚板支持板と鏡面対称の構造を有しており、
前記第一棚板支持板は、前記上下方向部分の裏面側において、前記後壁の横方向における両端に着脱自在に取り付け可能であり、
前記第二棚板支持板は、前記上下方向部分の裏面側において、前記第一棚板支持板と対向するように、前記前壁の裏面に着脱自在に取り付け可能であり、
前記第一棚板支持板を前記後壁に取り付け、前記第二棚板支持板を前記前壁に取り付けることにより、前記第一棚板支持板及び前記第二棚板支持板にまたがって棚板が置かれるものである棚板支持板。
【請求項２】
前記第一棚板支持板は前記上下方向部分の端部から前記構造体の前後方向に延びる第二部分をさらに備えていることを特徴とする請求項１に記載の棚板支持板。
【請求項３】
前記第一棚板支持板は、前記第二部分の裏面側において、前記後壁の横方向における両端に着脱自在に取り付け可能であり、前記第二棚板支持板は、前記第二部分の裏面側において、前記前壁の裏面に着脱自在に取り付け可能であることを特徴とする請求項１または２に記載の棚板支持板。
【考案の詳細な説明】
【技術分野】
【０００１】
本考案は、例えば、キャビネットの内部において、棚板を支持するための棚板支持板に関する。
【背景技術】
【０００２】
この種の棚板支持板の一つとして実用新案登録第３１１１２９６号公報に記載されたものがある。
【０００３】
同公報の図１に示されているように、キャビネット内部の奥側の二隅には上下方向に延びる支柱がそれぞれ形成されており、この支柱には複数の係止孔が等間隔に形成されている。棚板支持板の一端にはフックが形成されており、このフックを支柱の係止孔に挿入することにより、フックを支柱に対して支持することができる。
【０００４】
フックを介して支柱に支持された棚板支持板はキャビネットの内部においてキャビネットの前後方向に延びている。二つの支柱に棚板支持板を取り付けることにより、二つの棚板支持板の上に棚板を載せることができる。
【考案の開示】
【考案が解決しようとする課題】
【０００５】
上記のように、従来の棚板支持板は、奥側の二隅に形成された支柱に支持され、かつ、キャビネットの内部において前後方向に延びているため、棚板支持板の上に載せられる棚板は必然的にキャビネットの内部の全域（棚板支持板により形成される一水平面内の全領域）を覆うものとなっていた。
【０００６】
場合によっては、キャビネットの内部の半域（例えば、右側半分または左側半分）のみを使用する必要がある場合があるが、そのような場合であっても、上記の従来の棚板支持板を用いる場合には、キャビネットの内部の半域のみを使用することは不可能であった。
【０００７】
また、キャビネット内部に上下方向に長尺の物を立てかける必要がある場合、従来の棚板支持板はキャビネットの内部の全域を覆っているため、長尺物を立てかけることは不可能であった。
【０００８】
本考案はこのような従来の棚板支持板における問題点に鑑みてなされたものであり、構造体（例えば、キャビネット）の内部の全域ではなく、一部の領域（例えば、半域）のみを覆うことが可能な棚板支持板を提供することを目的とする。
【課題を解決するための手段】
【０００９】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１０】
上記の目的を達成するため、本考案は、対向する一対の側壁（５０１Ａ、５０１Ｂ）と、前記側壁（５０１Ａ、５０１Ｂ）を相互に連結する後壁（５０２）と、前記側壁（５０１Ａ、５０１Ｂ）の前端から所定の長さだけ前記後壁（５０２）と平行に延びる一対の前壁（５０３Ａ、５０３Ｂ）と、からなり、前記一対の前壁（５０３Ａ、５０３Ｂ）の間の領域は開口している構造体（５００）の内部に取り付けられる棚板を支持する棚板支持板（６００）であって、前記棚板支持板（６００）は、第一棚板支持板（１００）と、第二棚板支持板と、からなり、前記棚板支持板（１００）は、前記後壁（５０２）に沿って延びる第一部分（１１０）と、前記構造体（５００）の前後方向に延びる第二部分（１２０）と、からなり、前記第一部分（１１０）は、前記後壁（５０２）の横方向に延びる横方向部分（１１１）と、前記後壁（５０２）の上下方向に延びる上下方向部分（１１２）と、からなり、前記第二棚板支持板は、前記第二部分（１２０）の先端（１２１）に関して、前記第一棚板支持板（１００）と鏡面対称の構造を有しており、前記第一棚板支持板（１００）は、前記上下方向部分（１１２）の裏面側において、前記後壁（５０２）の横方向における両端に着脱自在に取り付け可能であり、前記第二棚板支持板は、前記上下方向部分（１１２）の裏面側において、前記第一棚板支持板（１００）と対向するように、前記前壁（５０３Ａ、５０３Ｂ）の裏面に着脱自在に取り付け可能であり、前記第一棚板支持板（１００）を前記後壁（５０２）に取り付け、前記第二棚板支持板を前記前壁（５０３Ａ、５０３Ｂ）に取り付けることにより、前記第一棚板支持板（１００）及び前記第二棚板支持板にまたがって棚板が置かれるものである棚板支持板（６００）を提供する。
【００１１】
前記第一棚板支持板（２００）は、前記第二部分（１２０）の裏面側において、前記後壁（５０２）の横方向における両端に着脱自在に取り付け可能であり、前記第二棚板支持板は、前記第二部分（１２０）の裏面側において、前記前壁（５０３Ａ、５０３Ｂ）の裏面に着脱自在に取り付け可能であるように構成することも可能である。
【考案の効果】
【００１２】
従来の棚板支持板は、必要か否かにかかわらず、キャビネット５００の内部の全域を覆うものでしかなかった。
【００１３】
これに対して、本考案に係る棚板支持板においては、棚板を支持する第一部分が後壁の横方向に沿って形成されているため、構造体（例えば、キャビネット）の内部の一部の領域（例えば、半域）のみを棚板で覆うことが可能である。このため、棚板を支持する第一部分の長さを変更することにより、構造体の内部の所望の領域にのみ棚板を配置することが可能になり、棚板のレイアウトの選択の範囲が広がり、構造体の内部のスペースの使用に関して利便性を向上させることが可能である。
【００１４】
あるいは、必要がある場合には、構造体の四隅の４個の支柱の各々に棚板支持板を取り付けることにより、構造体の内部の全域が棚板で覆われるように、棚板を配置することも可能である。
【図面の簡単な説明】
【００１５】
【図１】本考案の第一の実施形態に係る棚板支持板を内部に取り付ける構造体の一例としてのキャビネットの内部を示す概略的な斜視図である。
【図２】図２（Ａ）は本考案の第一の実施形態に係る棚板支持板における第一棚板支持板の斜視図、図２（Ｂ）は図２（Ａ）の２Ｂ方向から見た第一棚板支持板の正面図である。
【図３】本実施形態に係る棚板支持板における第一棚板支持板を支柱に取り付けた状態を示す横断面図である。
【図４】図４（Ａ）は本考案の第二の実施形態に係る棚板支持板における第一棚板支持板の斜視図、図４（Ｂ）は図４（Ａ）の４Ｂ方向から見た第一棚板支持板の平面図である。
【図５】本考案の第二の実施形態に係る棚板支持板における第一棚板支持板を支柱に取り付けた状態を示す横断面図である。
【考案を実施するための最良の形態】
【００１６】
（第一の実施形態）
図１は、本考案の第一の実施形態に係る棚板支持板６００を内部に取り付ける構造体の一例としてのキャビネット５００の内部を示す概略的な斜視図である。
【００１７】
キャビネット５００は、相互に対向する一対の側壁５０１Ａ及び５０１Ｂと、側壁５０１Ａ及び５０１Ｂを相互に連結する後壁５０２と、側壁５０１Ａ及び５０１Ｂの前端から所定の長さだけ後端５０２と平行に延びる一対の前壁５０３Ａ及び５０３Ｂとを備えている。なお、キャビネット５００は天板及び底板を有しているが、図示を省略する。
【００１８】
一対の前壁５０３Ａ及び５０３Ｂの間の領域は開口しており、この領域には、必要に応じて、開閉式の扉が取り付けられる。
【００１９】
なお、本明細書において、「横方向」とは一対の側壁５０１Ａ及び５０１Ｂの間の方向Ｘ（すなわち、後壁５０２の幅方向）を指し、「上下方向」とはキャビネット５００の天板と底板の間の方向Ｚ（すなわち、鉛直方向）を指し、「前後方向」とは後壁５０２と一対の前壁５０３Ａ及び５０３Ｂとの間の方向Ｙ（すなわち、側壁５０１Ａ及び５０１Ｂの幅方向）を指すものとする。また、「裏面」とは、キャビネット５００の内側を向く面（表面）の反対の面を指す。
【００２０】
キャビネット５００の内部の四隅にはそれぞれ上下方向に延びる支柱５１０が形成されている。すなわち、後壁５０２及び一対の前壁５０３Ａ及び５０３Ｂの各々に支柱５１０が取り付けられている。各支柱５１０は断面が「コ」の字型をなしており、後壁５０２に取り付けられている支柱５１０の一対の前壁５０３Ａ及び５０３Ｂに向かう面には上下方向に等間隔に係止孔５１１が形成されている。また、一対の前壁５０３Ａ及び５０３Ｂに取り付けられている支柱５１０の後壁５０２に向かう面にも上下方向に等間隔に係止孔５１１（図１においては見えない）が形成されている。後述するように、係止孔５１１の各々に棚板支持板６００のフックが挿入されることにより、棚板支持板６００が支柱５１０に対して支持される。
【００２１】
本実施形態に係る棚板支持板６００は、第一棚板支持板１００と、第二棚板支持板（参照符号なし）と、から構成される。
【００２２】
図２（Ａ）は本考案の第一の実施形態に係る棚板支持板６００における第一棚板支持板１００の斜視図、図２（Ｂ）は図２（Ａ）の２Ｂ方向から見た第一棚板支持板１００の正面図である。
【００２３】
図２（Ａ）に示すように、第一棚板支持板１００は、第一棚板支持板１００を支柱５１０に取り付けたときに後壁５０２に沿って延びる第一部分１１０と、キャビネット５００の内部の前後方向（すなわち、一対の前壁５０３Ａ及び５０３Ｂに沿う方向）に延びる第二部分１２０と、からなる。
【００２４】
第一部分１１０は、後壁５０２の横方向に延びる横方向部分１１１と、後壁５０２の上下方向に延びる上下方向部分１１２と、からなる。横方向部分１１１と上下方向部分１１２と相互に直交しており、全体としてはＬ字型の断面をなしている。
【００２５】
さらに、横方向部分１１１は、後壁５０２に沿って延びる矩形状の第一平面部分１１１Ａと、第一平面部分１１１Ａの上端から第一平面部分１１１Ａと直角に第二部分１２０に向かって延びる矩形状の第二平面部分１１１Ｂと、からなる。
【００２６】
第一部分１１０の上下方向部分１１２には上下方向に等間隔にフック１１３が形成されている。
【００２７】
図２（Ｂ）に示すように、フック１１３は上下方向部分１１２の裏面（すなわち、第一棚板支持板１００を支柱５１０に取り付けたときに後壁５０２に向かう面）から突出して形成されている。フック１１３はＬ字型形状をなしており、自由端が下を向くように形成されている。
【００２８】
フック１１３は、例えば、上下方向部分１１２を表面（すなわち、第一棚板支持板１００を支柱５１０に取り付けたときにキャビネット５００の内側に向かう面）から打ち抜くことにより形成することが可能であり、この場合には、図２（Ｂ）に示すように、フック１１３に隣接して上下方向部分１１２に開口１１４が形成される。
【００２９】
フック１１３を支柱５１０の係止孔５１１に挿入することにより、第一棚板支持板１００を支柱５１０に対して着脱自在に取り付けることができる。
【００３０】
第二棚板支持板は、第二部分１２０の先端１２１に関して、第一棚板支持板１００と鏡面対称の構造を有している。
【００３１】
以上のような構造を有する本実施形態に係る棚板支持板６００は次のようにして使用される。
【００３２】
図３は、第一棚板支持板１００を支柱５１０に取り付けた状態を示す横断面図である。
【００３３】
図３に示すように、第一棚板支持板１００のフック１１３を後壁５０２側の支柱５１０の係止孔５１１に挿入することにより、第一棚板支持板１００を支柱５１０に対して支持する。
【００３４】
さらに、第一棚板支持板１００と鏡面対称の構造を有する第二棚板支持板を一対の前壁５０３Ａ及び５０３Ｂ側の支柱５１０の係止孔５１１に挿入することにより、第二棚板支持板を支柱５１０に対して支持する。
【００３５】
第一棚板支持板１００及び第二棚板支持板は同じ高さに位置するようにそれぞれ支柱５１０に取り付ける。この状態においては、第一棚板支持板１００及び第二棚板支持板は同じ高さにおいて相互に対向する位置関係になる。
【００３６】
次いで、第一棚板支持板１００及び第二棚板支持板の各第二平面部分１１１Ｂ上に平板状の棚板（図示せず）を載せる。
【００３７】
例えば、第一棚板支持板１００及び第二棚板支持板の長さ（Ｘ方向における長さ）をキャビネット５００の長さ（Ｘ方向における長さ）の半分に設定しておくことにより、第一棚板支持板１００及び第二棚板支持板上に載せられた棚板はキャビネット５００の内部の半域のみを占めることになる。
【００３８】
以上のような構造を有する本実施形態に係る棚板支持板６００は次のような効果を奏する。
【００３９】
従来の棚板支持板はキャビネット５００の内部の全域を覆うものでしかなかったが、本実施形態に係る棚板支持板６００の第一棚板支持板１００及び第二棚板支持板においては、棚板を支持する第一部分１１０を後壁５０２または一対の前壁５０３Ａ及び５０３Ｂ
の横方向に沿って形成することにより、キャビネット５００の内部の一部の領域（例えば、半域）のみを棚板で覆うことが可能である。このため、棚板を支持する第一部分１１０の長さを変更することにより、キャビネット５００の内部の所望の領域にのみ棚板を配置することが可能になり、棚板のレイアウトの選択の範囲が広がり、キャビネット５００の利便性を向上させることが可能である。
【００４０】
あるいは、必要がある場合には、４個の支柱５１０の各々に第一棚板支持板１００または第二棚板支持板を取り付けることにより、キャビネット５００の内部の全域にわたって棚板を配置することも可能である。この場合、キャビネット５００の奥側の右隅の支柱５１０及び手前の左側の支柱５１０には第一棚板支持板１００を取り付け、キャビネット５００の奥側の左隅の支柱５１０及び手前の右側の支柱５１０には第二棚板支持板を取り付ける。
【００４１】
なお、本実施形態に係る棚板支持板６００は上記の構造に限定されるものではなく、種々の改変が可能である。
【００４２】
本実施形態に係る棚板支持板６００においては、各支柱５１０に形成された係止孔５１１と第一棚板支持板１００（または第二棚板支持板）に形成されたフック１１３との組み合わせにより、棚板支持板１００が支柱５１０ひいては後壁５０２または一対の前壁５０３Ａ及び５０３Ｂに対して着脱自在に取り付け可能であるように形成されているが、第一棚板支持板１００（または第二棚板支持板）が後壁５０２または一対の前壁５０３Ａ及び５０３Ｂに対して着脱自在に取り付け可能である限り、係止孔５１１及びフック１１３の組み合わせを選択することは必ずしも必要ではない。二つの部材を相互に着脱自在に取り付ける任意の方法を用いることができる。
【００４３】
なお、係止孔５１１及びフック１１３の組み合わせを用いる場合であっても、支柱５１０を用いることは必ずしも必要ではない。後壁５０２または一対の前壁５０３Ａ及び５０３Ｂに直接に係止孔５１１を形成することも可能である。ただし、支柱５１０を用いる方が強度的には有利である。
【００４４】
また、本実施形態に係る棚板支持板６００は第二部分１２０を有するものとして構成されているが、必要に応じて、第二部分１２０を省略することも可能である。すなわち、本実施形態に係る棚板支持板６００は第一部分１１０のみから構成することも可能である。
【００４５】
（第二の実施形態）
図４（Ａ）は本考案の第二の実施形態に係る棚板支持板７００における第一棚板支持板２００の斜視図、図４（Ｂ）は図４（Ａ）の４Ｂ方向から見た第一棚板支持板２００の正面図である。
【００４６】
本実施形態に係る棚板支持板７００における第一棚板支持板２００は、第二フック２１０を追加的に備える点を除いて、第一の実施形態に係る棚板支持板６００における第一棚板支持板１００と同一の構造を有している。このため、第一の実施形態に係る棚板支持板６００における第一棚板支持板１００と同一の構成要素に対しては同一の参照符号を用いる。
【００４７】
本実施形態における第一棚板支持板２００においては、第二部分１２０の裏面（一対の側壁５０１Ａ及び５０１Ｂに向かう面）側に、フック１１３と同様の第二フック２１０が形成されている。
【００４８】
すなわち、第二フック２１０は、第一棚板支持板２００の第二部分１２０に上下方向に等間隔に形成されている。第二フック２１０は第二部分１２０の裏面から突出して形成されている。第二フック２１０はＬ字型形状をなしており、自由端が下を向くように形成されている。
【００４９】
第二フック２１０を支柱５１０の係止孔５１１に挿入することにより、第一棚板支持板１００を支柱５１０に対して着脱自在に取り付けることができる。
【００５０】
図５は本実施形態における第一棚板支持板２００を支柱５１０に取り付けた状態を示す横断面図である。
【００５１】
図５に示すように、例えば、第二フック２１０を介して第一棚板支持板２００を後壁５０２側の二つの支柱５１０に取り付けた場合、第一棚板支持板２００の第一部分１１０は一対の側壁５０１Ａ及び５０１Ｂに沿って延びている状態になる。このため、第一棚板支持板２００の第一部分１１０はキャビネット５００の内部の横方向における両端に位置することになり、第一部分１１０上に棚板を載せると、棚板はキャビネット５００の内部の全域を覆うこととなる。すなわち、従来の棚板支持板と同様に使用することが可能になる。
【００５２】
このように、本実施形態に係る棚板支持板７００によれば、第一の実施形態に係る棚板支持板６００の機能及び従来の棚板支持板の機能の双方を同時に有することが可能である。
【符号の説明】
【００５３】
６００  本考案の第一の実施形態に係る棚板支持板
１００  第一棚板支持板
１１０  第一部分
１２０  第二部分
１１１  横方向部分
１１２  上下方向部分
１１３  フック
１１４  開口
７００  本考案の第二の実施形態に係る棚板支持板
２００  第一棚板支持板
２１０  第二フック
【図１】
0003157788.tif 000003
【図２】
0003157788.tif 000004
【図３】
0003157788.tif 000005
【図４】
0003157788.tif 000006
【図５】
0003157788.tif 000007
【手続補正書】
【提出日】平成21年12月21日(2009.12.21)
【手続補正１】
【補正対象書類名】実用新案登録請求の範囲
【補正対象項目名】請求項３
【補正方法】変更
【補正の内容】
【請求項３】
前記第一棚板支持板は、前記第二部分の裏面側において、前記後壁の横方向における両端に着脱自在に取り付け可能であり、前記第二棚板支持板は、前記第二部分の裏面側において、前記前壁の裏面に着脱自在に取り付け可能であることを特徴とする請求項２に記載の棚板支持板。